(57)【要約】      （修正有）【課題】塗布現場での塗布液量を簡単に計測し、塗布装置にセットすることができる塗布装置を提供する。【解決手段】塗布装置１００は、第１容器１１と、第１容器１１に接続された連結部８０と、連結部８０を介して第１容器１１に連結された第２容器１２と、第１容器１１に配置された液管４１と、液管４１と連結されたノズル２１と、を有し、ノズル２１には、さらに、加圧されたエアーを供給するエアー管３１が連結されている。第１容器１１には、中に保管される塗布液１０の量を計測できる目盛９０が設けられている。【選択図】図１
0003195694.tif 000002
【実用新案登録請求の範囲】
【請求項１】
第１容器と、
前記第１容器に接続された連結部と、
前記連結部を介して前記第１容器に連結された第２容器と、
前記第１容器に配置された吸液管と
前記吸液管と連結されたノズルと、を有し、
前記ノズルには、さらに、加圧されたエアーを供給する管が連結されている塗布装置。
【請求項２】
前記第１容器には、中に保管される塗布液の量を計測できる第１目盛が設けられている請求項１記載の塗布装置。
【請求項３】
第２容器には、第２目盛がある請求項１または２記載の塗布装置。
【請求項４】
前記吸液管に接続された１つの分配管があり、前記１つの分配管に複数の前記ノズルを接続した請求項１〜３のいずれか１項に記載の塗布装置。
【請求項５】
前記第１容器は、前記第２容器より容量が小さい請求項１〜４の何れか１項に記載の塗布装置。
【請求項６】
前記第１容器には蓋があり、前記蓋に前記吸液管が設けられている請求項１〜５のいずれか１項に記載の塗布装置。
【考案の詳細な説明】
【技術分野】
【０００１】
塗布装置に関する。特に、建物や乗り物の内装へ液体を塗布する塗布装置に関する。
【背景技術】
【０００２】
図４の断面図で、従来の塗布装置を説明する。塗布装置は、塗布液を入れる第１容器１１と、塗布液を噴射する第１ノズル２１と、第１ノズル２１に塗布液を供給する第１液管４１と、第１液管４１に高圧を伝える高圧管５２と、高圧の印加のオンオフをする持ち手７０と、からなる。
【０００３】
まず、第１容器１１の塗布液が、第１液管４１に導かれる。その後、持ち手７０を引くことで、高圧がかかり、第１ノズル２１から塗布液を噴射する。壁などに塗布液を噴射する。
【先行技術文献】
【特許文献】
【０００４】
【特許文献１】実案登３０２６２１２号公報
【考案の概要】
【考案が解決しようとする課題】
【０００５】
しかし、従来の塗布装置では、塗布現場で、塗布液量を簡単に計測し、塗布装置にセットすることができなかった。
本願考案では、塗布現場で、塗布液量を簡単に計測し、塗布装置にセットすることができる塗布装置を提供することを課題とする。
【課題を解決するための手段】
【０００６】
上記課題を解決するため、第１容器と、第１容器に接続された連結部と、連結部を介して第１容器に連結された第２容器と、第１容器に配置された液供給管と、液供給管と連結されたノズルと、を有し、ノズルには、さらに、加圧されたエアーを供給する管が連結されている塗布装置を用いる。
【考案の効果】
【０００７】
本願考案の塗布装置では、塗布現場で、他の容器を使用せず、必要な塗布液の量を計測し、塗布装置にセットできる。塗布液の計測時に、容器の外部に塗布液が出ない。手に塗布液が触れない。塗布現場で、ノズル数を増加できる。塗布現場で、２つの液を混合し、塗布できる。
【図面の簡単な説明】
【０００８】
【図１】実施の形態１の塗布装置の斜視図
【図２】（ａ）〜（ｂ）実施の形態１の塗布装置のノズル部分の図
【図３】（ａ）〜（ｃ）実施の形態１のプロセスを示す図、（ｄ）実施の形態１のフロー図
【図４】従来塗布装置の側面図
【考案を実施するための形態】
【０００９】
図１にて、本願考案の塗布装置１００の１つ例を説明する。
＜構造＞
図１は、塗布装置１００の斜視図である。第１容器１１、第２容器１２、第１ノズル２１、第２ノズル２２、分配管１４、第１液管４１、第２液管４２、第１エアー管３１、第２エアー管３２からなる。なお、ここで、塗布装置とは、広く液体を外部へ塗布するものを意味する。霧状の塗布から、スポット状の塗布など種々の塗布形状の塗布装置を含む。
【００１０】
第１容器１１は、第１ノズル２１、第２ノズル２２へ塗布液１０を供給する容器である。内部に、塗布液１０を引き出す吸液管１５を有する。また、第１目盛９０を側面に有する。さらに、吸液管１５の先端には重し１９がある。吸液管１５の先端が第１容器１１の底に位置するように、重し１９を設けている。重し１９は、多孔質体で、塗布液１０中のゴミなどをカットできるようにすると、ノズルがつまらずよい。
【００１１】
また、吸液管１５は、第１容器１１の蓋３０に設けることが好ましい。取り外しが容易であり、他の部分を加工する必要がない。
第１容器１１は、透明、または、半透明で、内部の塗布液１０の量が外部から見える。さらに、側面に設けられた第１目盛９０でその量を計測できる。なお、計測とは、量を測定することを広く意味し、計量も含む。また、第１目盛９０を形成せず、第１容器１１を満杯するなどして、塗布液を計測してもよい。
【００１２】
第２容器１２は、第１容器１１と連結部８０で繋がる。第２容器１２は、第１容器１１より大きく、多くの塗布液１０を保管できる。連結部８０により、保持する塗布液１０を第１容器１１へ移動できる。塗布装置１００を傾け、塗布液１０を、連結部８０を経由して、第２容器１２から第１容器１１へ移動させることができる。側面に第２目盛９１を有するのが好ましい。
【００１３】
連結部８０は、この場合、単なる通常の空洞である。塗布液１０を第１容器１１と第２容器１２間で移動させる。
第１ノズル２１は、第１液管４１と第１エアー管３１とに繋がっている。第１ノズル２１では、第１液管４１からの塗布液１０を、第１エアー管３１からの高圧エアーを利用して塗布する。塗布液１０の流れの方向を、液流れ９３として示している。同様に、エアーの流れを空気流れ９２で示している。第１ノズル２１から塗布液が塗布されると、自然に、第１液管４１から塗布液１０が供給される。第２ノズル２２でも同様である。
【００１４】
第２ノズル２２、は、第２液管４２と第２エアー管３２とに繋がっている。第１ノズル２１では、第２液管４２からの塗布液１０を、第２エアー管３２からの高圧エアーで、塗布する。
分配管１４は、吸液管１５と第１液管４１と第２液管４２とを繋げる。吸液管１５からの塗布液１０を、第１液管４１と第２液管４２へと伝達する。
【００１５】
第１液管４１は、分配管１４と第１ノズル２１とを繋ぐ。分配管１４からの塗布液１０を第１ノズル２１へと伝達する。
第２液管４２は、分配管１４と第２ノズル２２とを繋ぐ。分配管１４からの塗布液１０を第２ノズル２２へと伝達する。
【００１６】
第１エアー管３１は、高圧器５１と第１ノズル２１とを繋ぐ。高圧器５１の高圧を第１ノズル２１へ供給する。
第２エアー管３２は、高圧器５１と第２ノズル２２とを繋ぐ。高圧器５１の高圧を第２ノズル２２へ供給する。
【００１７】
各ノズル、各管には、オンオフするバルブをつけるのが好ましい。高圧器５１は、圧の低下により自動オンするものがよい。一定の圧を各管に加える。
高圧器５１は、塗布装置１００とは別装置である。携帯式の高圧器５１を、塗布装置１００とともに、塗布場所へ運び、塗布することができる。
【００１８】
＜ノズル＞
図２（ａ）〜図２（ｂ）で、ノズルに関して説明する。図２（ａ）〜図２（ｂ）はノズルの変形例を示す模式図である。図２（ａ）は、図１と同様、ノズル２個の場合である。図２（ｂ）は、ノズル１個の場合である。
【００１９】
吸液管１５は、１本で、ノズルは、１個以上である。ノズルが複数の場合は、吸液管１５からの塗布液１０を分配管１４でわける。ノズルの１つの面には分配管１４からの管が配置される。ノズルの別の面にエアー管が配置される。さらに、異なる面に塗布液１０を噴射する口がある。
【００２０】
必要に応じて、分配管１４により管を分け、ノズルを追加できる。
また、各ノズルでは、バルブなどにより、塗布液１０を塗布するかどうかを制御できる。また、第１エアー管３１、第２エアー管３２にバルブを配置し、それぞれオンオフできる。ノズルとエアー管の両方がオンで、塗布液が塗布される。いずれか１方をオン、もう一方を制御することで、塗布のオンオフができる。
また、ノズルを交換、または、ノズルの吐出口部分の交換により、霧状の塗布など、いろいろな塗布ができる。
【００２１】
また、ノズルの塗布方向（ノズルの角度を変える）を変えることで、全体への塗布、部分的な塗布、一方向への塗布もできる。ノズルを容易に回転できる機構を設けるのが好ましい。複数ノズルの場合、それぞれのノズルの方向を変えることができると、種々の塗布条件を設定でき好ましい。
さらに、塗布装置１００を床に置き、ノズルを塗布装置１００の上部へ固定する機構を設けることができる。このことで、人がノズルを持たず塗布できる。つまり、人に塗布液がまったくかからない状態で塗布ができる。さらに、遠隔操作ができる。
【００２２】
＜プロセス＞
図３（ａ）〜図３（ｄ）を用いて、プロセスを説明する。図３（ａ）〜図３（ｃ）は、各工程での塗布装置１００の断面図である。図３（ｄ）は、プロセスフローである。
【００２３】
第１工程（図３（ａ））で、第２容器１２へ蓋２９から塗布液１０を入れる。第２容器１２には、多量の塗布液１０を入れることができる。第２目盛９１で必要な塗布液１０量を入れることができる。ここでは、塗布液１０量を正確にする必要はないので、第２目盛９１は必須ではない。第１工程では、大まかな塗布液１０の量としておき、第３工程で正確に塗布液１０を計測し使用することができる。
【００２４】
第２工程（図３（ｂ））で、塗布現場へ塗布装置１００、高圧器５１を移動する。
第３工程で、塗布現場で、第２容器１２から、第１容器１１へ塗布液１０を移す。塗布装置１００を傾斜することで、第２容器１２から、塗布液１０を、連結部８０を介して、第１容器１１へ移す。第１容器１１の塗布液１０の量は、この現場で使用する塗布液１０量であり、第１目盛９０で正確に計測、調整必要である。
【００２５】
第４工程で、塗布をする。第１容器１１内の塗布液１０が無くなるまで、塗布をする。図３（ｃ）で示す状態となる。
第５工程で、次の塗布現場へ、塗布装置１００と高圧器５１を移動する。この結果、第２工程へ戻ったこととなる。この後、塗布現場の数だけ第２工程から第４工程を繰り返す。
【００２６】
ただし、第２容器１２内の塗布液１０が無くなった場合は、第１工程へ戻り、プロセスを行う。また、塗布が終わった現場で、次の塗布のために第１容器１１へ塗布液を第２容器１２から移動させてもよい。
第２容器１２には、多くの塗布液１０を入れる。塗布現場で、第２容器１２から第１容器１１へ塗布液１０を移動させる。
【００２７】
吸液管１５には、特別の仕組みはなく、第１、２ノズルから塗布液１０が噴射されると、塗布液１０が自然と第１，２ノズルへ導かれる。
（効果）
塗布現場で塗布液１０の量を計測でき、目的の塗布液１０の量を塗布できる。塗布装置１００内で塗布液１０を扱うので、人体への影響がない。取り扱いやすい。有害な溶剤を用いることもできる。あらかじめ塗布液１０を計測することや、一定量の塗布液１０の容器を別途作製することは不要である。
【００２８】
（他の使用方法）
第１容器１１と第２容器１２に別々の液を入れ、塗布装置１００を傾け、２つの液を混合後、即座に塗布することもできる。
吸液管１５を、連結部８０を介して第２容器１２へ入れると、第２容器１２の塗布液１０を塗布することもできる。
【００２９】
（なお書き）
実施の形態の塗布装置は、特に、噴霧装置に適している。家、建物、自動車などの内装の塗装時に利用できる。建物の内装用塗装に使用できる。塗装以外にも、いろいろな液の塗布に使用できる。高圧エアーを渦巻き状に噴射し、入り組んだ箇所やカーペットなどの奥に入り込んだ埃を取り除くことができる。広範囲に噴霧できるので、網戸などに対してもムラなく水などを塗布し、清掃することができる。車のホイールやマットの洗浄には、洗浄剤をこの塗布装置を使用して塗布すれば、強力に汚れを落とすことが可能である。カーペットなどは、除塵のあと消臭剤をこの塗布装置を使用して噴霧すれば、直接繊維の奥にまで浸透させることができる。水を噴霧することでスポットクーラーの役割を果たすと共に、静電気防止効果を発揮できる。自動車車内マットの洗浄やホイール等の洗浄、油にまみれた部分の洗浄、手の届きにくい溝やすき間の洗浄、塵や埃の除去ができる。
高圧器５１からノズルまでの間のエアー管に、エアーの開閉器を付けることで、この開閉器からノズルまでのエアー管には、それほどの耐高圧性能は不要となる。直径が６mmや４mmの細いチューブを使用することができる。
室内や車内の空間噴霧の際は、塗布装置１００を室内に、高圧器５１を室外に置き、その間を細いチューブ（管）で繋いだ時、そのままドアを締めて（ドアに挟んで）も、エアーの供給は可能なので、隙間を塞ぐ手間が省ける。また、高圧器を室外に置くことで、高圧器５１が加圧時に、噴霧した塗布液を吸込むことがなく故障の要因が減る。
さらに、上記塗布装置１００を用いれば、室内や車内を密閉状態にし、光触媒コーティング液を空間噴霧して、内壁全面を一括施工することができる。
貨物コンテ内の荷下ろし後に充満／付着した悪臭に対し、密閉状態で消臭抗菌剤を自動空間噴霧することができる。
１つの塗布装置に、複数のノズルを配置した場合、１つのノズルで噴霧し、別のノズルでエアーだけを噴射することで、異なる気流を生じさせることができる。複数のノズルの塗布条件を変えること、種々の塗布ができる。
【産業上の利用可能性】
【００３０】
塗布装置として、広くいろいろな分野で使用できる。
【符号の説明】
【００３１】
１０  塗布液
１１  第１容器
１２  第２容器
１４  分配管
１５  吸液管
１９  重し
２１  第１ノズル
２２  第２ノズル
２９  蓋
３０  蓋
３１  第１エアー管
３２  第２エアー管
４１  第１液管
４２  第２液管
５１  高圧器
５２  高圧管
７０    持ち手
８０  連結部
９０  第１目盛
９１  第２目盛
９２  空気流れ
９３  液流れ
１００  塗布装置
【図１】
0003195694.tif 000003
【図２】
0003195694.tif 000004
【図３】
0003195694.tif 000005
【図４】
0003195694.tif 000006